(57)【要約】      （修正有）【課題】消火器を収納可能な照明器具を提供する。【解決手段】消火器を収納可能な照明器具は、発光モジュール、音声効果モジュール２０、発光モジュール或いは音声効果モジュール２０に電力を提供する蓄電装置２２、消火器１６を収納する中空柱体１２、重力センサー１８を備え、重力センサー１８は消火器１６が中空柱体１２中に置かれているかどうかを感知し、消火器１６が中空柱体１２を離れていることを、重力センサー１８が感知すると、音声効果モジュール２０を制御し、音声を発生させ警告する。【選択図】図１
0003172880.tif 000002
【実用新案登録請求の範囲】
【請求項１】
消火器を収納可能な照明器具は、発光モジュール、音声効果モジュール、蓄電装置、中空柱体、重力センサー、消火器を備え、
前記蓄電装置は、前記発光モジュールと前記音声効果モジュールに電気的に連接し、前記発光モジュールに電力を提供し、或いは前記音声効果モジュールに電力を提供し、
前記中空柱体には、前記消火器を収納し、
前記重力センサーは、前記音声効果モジュールに電気的に連接し、前記消火器が前記中空柱体中に置かれているかどうかを感知し、前記消火器が前記中空柱体を離れていることを、前記重力センサーが感知すると、前記音声効果モジュールを制御し、音声を発生させ警告することを特徴とする消火器を収納可能な照明器具。
【請求項２】
前記発光モジュールは、前記中空柱体中に設置し、
前記中空柱体は、一部が貫通状で、或いは光透過材質を使用するため、前記発光モジュールが発する光線は、前記中空柱体を通って射出されることを特徴とする請求項１に記載の消火器を収納可能な照明器具。
【請求項３】
前記消火器を収納可能な照明器具はさらに、補助検査装置を備え、
前記補助検査装置は、前記音声効果モジュールに電気的に連接し、前記音声効果モジュールを制御し音声を発生させ、警告を行うことを特徴とする請求項１に記載の消火器を収納可能な照明器具。
【考案の詳細な説明】
【技術分野】
【０００１】
本考案は照明器具に関し、特に消火器を収納可能な照明器具に関する。
【背景技術】
【０００２】
近年、火災が頻発し、それによる人的被害と経済的損失は無視できない問題となっている。にもかかわらず、美観のため、人々は消火器を目立たない部屋の隅などに置きがちである。これにより、有効期限に対する考慮が疎かになるだけでなく、他の雑物が回りに置かれることで障害となり、取り出しにくいという状況にさえ陥る。これでは、火災の発生時、消火器を取り出しにくく、或いは効果を発揮させることができない。これにより、火勢は大きくなりコントロール不能となり、火災となってしまう。
【考案の概要】
【考案が解決しようとする課題】
【０００３】
本考案は消火器を収納可能な照明器具を提供することである。
【課題を解決するための手段】
【０００４】
本考案は消火器を収納可能な照明器具を提供する。消火器を収納可能な照明器具は、発光モジュール、音声効果モジュール、発光モジュール或いは音声効果モジュールに電力を提供する蓄電装置、消火器を収納する中空柱体、重力センサーを備え、該重力センサーは、該消火器が該中空柱体中に置かれているかどうかを感知し、該消火器が該中空柱体を離れていることを、重力センサーが感知すると、該音声効果モジュールを制御し、音声を発生させ警告する。
【考案の効果】
【０００５】
照明器具は通常照明に用いるため、普通は目立つところに置かれている。また、照明器具の周りに雑物を置いて、照明を遮るという状況も起きない。そのため、本考案は消火器を収納可能な照明器具を提供する。すなわち、本考案の消火器を収納可能な照明器具は、もともとの照明機能に加え消火器を収納可能となり、消火器はいつでも手に取れる場所に置かれ、消火作業に便利である。同時に、これに音声効果モジュールを増設することで、火災の発生時、音声を発し、警告することができる。
【図面の簡単な説明】
【０００６】
【図１】本考案第一実施例の断面図である。
【図２】本考案第二実施例の立体図である。
【図３】本考案第三実施例の立体図である。
【図４】本考案第四実施例の断面図である。
【考案を実施するための形態】
【０００７】
図１は、本考案第一実施例の断面図である。本実施例は、ランプ１０、中空柱体１２、底台１４を備える。ランプ１０は、発光の強弱を調整することができる。中空柱体１２には、消火器１６などの消火装置を収納することができる。底台１４には、重力センサー１８を設置し、消火器１６が中空柱体１２中に置かれているかどうかを感知する。
【０００８】
出火時、使用者は、中空柱体１２中から消火器１６を取り出すと同時に、底台１４中の重力センサー１８は、消火器１６の重量を失ったことで、音声効果モジュール２０を起動する。音声効果モジュール２０は、例えば、ブザーを起動し「ブー、ブー」音などを発し、消火器１６を取り出した人とは別の人たちに火災の発生を警告する。これにより、火から離れるための十分な時間を確保することができる。
【０００９】
消火器１６の内容物が漏れれば、消火効果に影響を及ぼす。しかし、消火器１６の内容物が漏れれば、重量が失われる。そのため好ましくは、重力センサー１８は、消火器１６の重量を精密に感知し、また閾値を設定することができるため、消火器１６の重量が閾値より低くなると、消火器１６が標準を満たしていないことを示す。この状況になったなら、内容物を新たに充填し、或いは消火器１６を交換しなければならない。
【００１０】
底台１４は、重力センサー１８、音声効果モジュール２０の他に、蓄電装置２２を備える。市内電源が正常に供給されていれば、ランプ１０と音声効果モジュール２０は、市内電源の電力を使用し、蓄電装置２２は、電力を蓄え、しかもランプ１０と音声効果モジュール２０に電気的に連接する。市内電源が供給を停止すると、蓄電装置２２により、ランプ１０、音声効果モジュール２０に電力を供給する。
【００１１】
好ましくは、市内電源の供給が停止すると、ランプ１０を起動し、緊急照明灯とする。また必要に応じて、違った発光モジュールを増設し、ランプ１０とは異なる機能を提供することができる。例えば、図１に示すように、ランプシェード２４上の一列のＬＥＤ２６は、ランプ１０の照明機能とは異なる。一列のＬＥＤ２６は、異なる色のＬＥＤランプを利用し、本考案の照明器具を装飾することができる。好ましくは、一列のＬＥＤ２６は、発光強弱を調整可能である。
【００１２】
好ましくは、使用者の必要に応じて、底台１４中に、異なる補助検査装置２８を増設し、音声効果モジュール２０に電気的に連接させ、違った機能を提供する。例えば、増設する補助検査装置２８は、危険なガス探知機とすることができる。一酸化炭素、出火時に生じる煙などはすべて、危険なガスに属するが、危険なガスの濃度が閾値を超えたことを探知すると、音声効果モジュール２０を制御し、音声警告を発生させる。例えば、増設する補助検査装置２８は、温度探知機とすることができ、温度の、設定された閾値超過を探知すると、音声効果モジュール２０を制御し、音声警告を発生させる。例えば、増設する補助検査装置２８は、レーザー赤外線センサーとすることができ、ドア、窓などの泥棒が出入りする道筋にレーザー光線の照準を合わせておけば、レーザー光線が遮断されたことを感知すると、音声効果モジュール２０を制御し、音声警告を発生させる。上記した各種状況では、同時にランプ１０を点滅させ警告とすることができる。
【００１３】
図２は、本考案第二実施例の立体図である。本実施例の中空柱体３０は、フレーム３２、光透過板３４により組成する。消火器１６の取り出しを便利にするため、光透過板３４とフレーム３２、及び底台１４は、可動接続し、可動ドアを形成する。ランプ１０は、中空柱体３０中に位置し、光線は光透過板３４を透過して射出される。
【００１４】
好ましくは、光透過板３４は、さまざまな色があり、置換することができる。他の実施例中では、可動ドアは光を透過させないが、貫通設計とすることができ、これにより、ランプ１０の光線は、中空柱体３０から射出される。図１と同様に、底台１４は、重力センサー１８、蓄電装置(図示なし)、音声効果モジュール(図示なし)を備える。音声効果モジュールの音声効果は、出音口３６から再生される。
【００１５】
さらに、本実施例は、制御モジュール３８を設置し、ランプ１０と音声効果モジュール２０に電気的に連接し、ボタンを利用して、ランプ１０の発光強度及び音声効果モジュール２０の音声の大小及び作動方式を調整することができる。好ましくは、音声効果モジュール２０は、音声ファイルデコーダを備え、ｍｐ３などの音声ファイルをデコードすることができる。好ましくは、音声効果モジュール２０は、ラジオを備え、ＡＭ及びＦＭ放送を受信することができる。好ましくは、音声効果モジュール２０は、音声接続ポートを備え、携帯電話端末、ポータブルプレーヤーなどが提供する音楽信号を入力し、再生することができ、或いは音声接続ポートを経由して、音声を外部の音声アンプに出力することができる。他の実施例ではさらに、時計モジュールを備え、時間を告げることができ、また特定の時間を設定することができ、特定の時間に、音声効果モジュール２０を制御して音声を発生させることができる。
【００１６】
図３は、本考案第三実施例の立体図である。本実施例は図１に示す第一実施例同様、ランプ１０、中空柱体１２、底台１４を備える。底台１４にはやはり、重力センサー１８、音声効果モジュール(図示なし)、蓄電装置(図示なし)を備える。消火器１６が、中空柱体１２から移される、或いは消火器１６の重量が標準を満たさない時には、底台１４中の音声効果モジュール(図示なし)を制御して、出音口３６から音声を発生させる。
【００１７】
この他、底台１４には、制御モジュール３８とディスプレー４０を増設する。制御モジュール３８は、ランプ１０の発光強度と音声効果モジュールの音声の大小及び作動方式を調整できる他、ディスプレー４０を制御して、使用者に、時間、温度、使用方法、消防設備配置図、或いは避難経路などの必要な情報を示すことができる。好ましくは、ディスプレー４０は、イメージファイルデコーダーを備え、JPEG、GIF、AVIなどのイメージファイルを再生することができる。好ましくは、ディスプレー４０は、イメージ接続ポートを備え、携帯電話端末、ポータブルプレーヤー、モニターなどが提供するイメージ信号を、イメージ接続ポートから取り込み、ディスプレー４０に表示することができる。好ましくは、タッチパネルを使用して、制御モジュール３８とディスプレー４０の機能を統合する。好ましくは、制御モジュール３８は、無線通信機能を備え、使用者は離れたところから、制御信号を発信し、本考案の照明器具を制御することができる。
【００１８】
図４は、本考案第四実施例の断面図である。本実施例の中空柱体４２は、花瓶状で、その上には、ワイヤーとＬＥＤにより形成する発光モジュール４４を備え、装飾効果を備える。好ましくは、高輝度ＬＥＤを使用し、発光モジュール４４の発光輝度を増強する。消火器１６は、花瓶状の中空柱体４２中に設置し、底部には、重力センサー１８を備え、消火器１６の状態を感知する。音声効果モジュール２０と蓄電装置２２は、発光モジュール４４と一緒に設置する。好ましくは、消火器１６の取り出しの便のため、花瓶状の中空柱体４２の側辺には、可動ドア４６を開設する。
【００１９】
さらに、本考案の照明器具はポータブルタイプに設計することもできる。この場合には、蓄電装置により照明が必要する電力を提供する。蓄電装置は、取外し式で、多数の予備を準備で、使用に備えることができる。これにより、火を使う必要のある屋外活動で使用する時には、照明と消火器としての機能を同時に提供することができる。
【符号の説明】
【００２０】
１０  ランプ
１２  中空柱体
１４  底台
１６  消火器
１８  重力センサー
２０  音声効果モジュール
２２  蓄電装置
２４  ランプシェード
２６  一列のＬＥＤ
２８  補助検査装置
３０  中空柱体
３２  フレーム
３４  光透過板
３６  出音口
３８  制御モジュール
４０  ディスプレー
４２  中空柱体
４４  発光モジュール
４６  可動ドア
【図１】
0003172880.tif 000003
【図２】
0003172880.tif 000004
【図３】
0003172880.tif 000005
【図４】
0003172880.tif 000006